(57)【要約】【課題】電子ズーム処理による画質劣化が少ないズームモードを利用者が選択できる画像記録装置を提供する。【解決手段】記録モード制御回路１０８は、撮像素子１０２の画素数に応じた第１の画像サイズを有する静止画像データを生成し記録する第１の記録モードと、静止画像データの第１の画像サイズより小さい第２の画像サイズを有する動画像データを生成し記録する第２の記録モードとを制御する。カメラ信号処理回路１０４は、第２の記録モードにおいて、動画像データを生成する際に第２の画像サイズとなるよう電子ズーム処理を行う。この時、最大倍率設定回路１０９は、カメラ信号処理回路１０４における電子ズーム処理の最大変倍率を設定する。【選択図】  図１
2004266774.tif 000002
【特許請求の範囲】
【請求項１】
撮像手段で取得した像の倍率を変化させる信号処理装置であって、
像の倍率を増加させる際に撮像された撮像面の走査範囲に対して撮像信号を縮小変更する第１の信号処理を行う第１の信号処理手段と、
前記第１の信号処理と異なる第２の信号処理を行うことによって像の倍率を変化させる第２の信号処理手段と、
望遠側または広角側の選択を検知する第１の検知手段と、
前記第１の信号処理による像の倍率拡大の限界を検知する第２の検知手段と、
第１のモードと第２のモードとを選択可能な選択手段とを具備し、
前記選択手段により、
前記第１のモードが選択されたときは、前記第１の検知手段により望遠側が選択され続けたことを検知した場合には前記第１の信号処理を行うとともに該第１の信号処理による像の倍率拡大が限界に達したことが前記第２の検知手段により検知された場合に続けて前記第２の信号処理を行うことにより像の拡大をし、
前記第２のモードが選択されたときは、前記第１の信号処理による像の倍率拡大の限界に達したことが前記第２の検知手段により検知された後更に前記第１の検知手段により望遠側が選択され続けていることを検知しても前記第２の信号処理を禁止することを特徴とする信号処理装置。
【請求項２】
撮像素子で撮影した撮像データを基に画像データを生成する画像データ生成装置であって、
前記撮像素子の画素数に応じた第１の画像サイズを有する第１の画像形式の画像データを生成し記録する第１の記録モードと、前記第１の画像サイズより小さい第２の画像サイズを有する第２の画像形式の画像データを生成し記録する第２の記録モードとを制御する記録モード制御手段と、
前記第２の記録モードにおいて、前記第２の画像形式の画像データを生成する際に電子的な変倍処理を行う電子変倍手段と、
前記電子変倍手段における最大変倍率を設定する最大変倍率設定手段と
前記最大変倍率設定手段により設定された前記最大変倍率を最大値として変倍率の変化を表示する変倍率変化表示手段を具備し、
前記最大変倍率設定手段は、複数種類の最大変倍率候補から利用者が選択した最大変倍率候補を前記最大変倍率として設定するとともに、前記変倍率変化表示手段は、前記最大変倍率より変倍率の低い最大変倍率候補の値を境界線として表示することを特徴とする画像データ生成装置。
【発明の詳細な説明】
【０００１】
【発明の属する技術分野】
本発明は、光学ズーム手段および電子ズーム手段を備えた信号処理装置および画像データ生成装置に関するものである。
【０００２】
【従来の技術】
近年、デジタルビデオカメラやデジタルカメラなどの画像記録装置（または信号処理装置、画像データ生成装置）が一般家庭にも普及し広く用いられるようになっている。これらの画像記録装置ではユーザー操作により撮影画角を広角から望遠まで連続的に変更できるズーム機能を搭載したものが一般的である。また従来からあるズームレンズの光学系を用いた光学ズームに加え、撮影画像データを電子的に変倍する電子ズーム機能を併せ持った画像記録装置も多い。
【０００３】
図２６は、従来の光学ズーム機能および電子ズーム機能を備えた画像記録装置の概略構成を示す図である。図２６において、２３０１は、レンズ光学系であり、入射光を撮像素子２３０２上に結像させるための光学レンズ、絞り、焦点制御、各種光学フィルタ及びその駆動機構を含んでいる。また、レンズ光学系２３０１は、光学的に画角を変更する光学ズーム可能なレンズ光学系であり、そのための駆動機構も含んでいる。
【０００４】
尚、図２６の画像記録装置に示すレンズ光学系２３０１における上述した光学機構は一般的なものであり説明を省略する。撮像素子２３０２は、レンズ光学系２３０１によって受光面に結像された光信号を電気信号に変換する素子であり、例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサなどが知られている。
【０００５】
２３０３は、Ａ／Ｄ（アナログ／デジタル）回路であり、撮像素子２３０２によって電気信号に変換された撮像信号をデジタル撮像データ（以下、撮像データとする）に変換する。２３０４は、メモリ１であり、Ａ／Ｄ回路２３０３が変換した撮像データを記憶する。この時点での撮像データは撮像素子固有（画素配列および色フィルタ配列などで異なる）の出力形式からなるデジタルデータである。２３０５は、カメラ信号処理回路であり、メモリ１・２３０４から供給される撮像データを画像データに変換するための各種処理を行う。２３０７は、ズーム制御回路であり、ズーム操作キー２３１０の入力に従い光学ズーム制御回路２３０６の制御を行う。更に、ズーム制御回路２３０７は、スイッチ２３０８を経由して拡大処理回路２３０９を制御する。光学ズーム制御回路２３０６は、ズーム制御回路２３０７からの制御に応じてレンズ光学系２３０１を制御して光学ズームを行う。また、拡大処理回路２３０９は、ズーム制御回路２３０７からの制御に応じて電子ズーム処理を行う。すなわち、ズーム制御回路２３０７は、光学ズームないし電子ズーム処理を行うことができる。
【０００６】
また、２３１１は、電子ズームオン／オフスイッチであり、電子ズーム機能のオン／オフを行う。ここで、電子ズームオン／オフスイッチ２３１１がオフの場合には、上記のスイッチ２３０８をオフとし、拡大処理回路２３０９において拡大処理を行わないよう制御する。また、電子ズームオン／オフスイッチ３２１１がオンの場合には、スイッチ２３０８をオンとし、拡大処理回路２３０９において拡大処理を行う。尚、この電子ズームオン／オフスイッチ２３１１を設けた理由は、電子ズームの拡大による画質劣化を嫌う利用者のため、ズーム制御モードを光学ズームのみに設定して撮影可能にするためである。
【０００７】
また、２３１２は、メモリ２であり、カメラ信号処理および拡大処理後の画像データを記憶する。２３１３は、記録信号処理回路であり、メモリ２・２３１２より読み出した画像データに対して圧縮符号化や記録フォーマット化、誤り訂正符号化、記録変調符号化などを行う。２３１４は、記録メディアであり、記録信号処理回路２３１３が処理後の画像データを記録する。
【０００８】
次に、図２６に示した画像記録装置における光学ズームおよび電子ズームの動作について説明する。
図２７は、図２６に示した画像記録装置の光学ズームと電子ズームの動作を示す図である。枠２４０１は、メモリ１に記憶される画像データの被写体（木、スキヤー、雲を含む）に対する範囲を示している（＝画角を示している）。この枠２４０１は、光学ズームが広角側に移動するほど広がる。すなわち、光学ズームを行うズーム制御領域２４０６において、最も広角側にレンズ光学系２３０１を制御した場合は、枠２４０１が広がり広角画像２４０３に示す画像が得られる画角となる。これにより、広角画像２４０３に示す被写体の画像データがメモリ１に記憶される。また、ズーム制御領域２４０６において、最も望遠側にレンズ光学系２３０１を制御した場合は、枠２４０１は望遠画像２４０４に示す画像が得られる画角となる。これにより、望遠画像２４０４に示す被写体の画像データがメモリ１に記憶される。以上に示すように、図２６の画像記録装置は、レンズ光学系２３０１を制御することで撮影画角（枠２４０１の範囲）を変更してズーム動作を行う。
【０００９】
一方、電子ズームを行うズーム制御領域２４０７においては、最も望遠側の枠２４０１の範囲における被写体の画像データから、枠２４０２で示される、一部分の領域を切り出して拡大することにより、電子ズーム画像２４０５に示すような電子ズーム画像を得る。
このとき、上述したように、電子ズーム処理することによって多少の画質劣化が起こる。特に、電子ズームの倍率を高倍率にすると画質劣化が激しくなるため、一般的には電子ズームの倍率の上限を定めて制限している。
【００１０】
また、電子ズーム処理によって画質が好ましくない劣化を起こす恐れがあるときは電子ズーム処理を規制または警告を表示するので、過度の電子ズーム処理による意図しない画質の劣化を防ぐことができる情報記録装置（画像記録装置）が開示されている（例えば、特許文献１参照。）。具体的には、画像を撮像する撮像ユニットと、撮像ユニットが撮像した取り込み画像の中から、所定の範囲の選択画像を取得し、所定の画素数の出力画像に変換する電子ズーム処理部とを備える情報記録装置であって、電子ズーム処理部は、出力画像の画素数を参照して選択画像が満たすべき条件を設定する選択範囲条件設定機能を有する。また、選択画像が条件を満たさないときに、条件を満たさないことを利用者へ告知する告知ユニットを更に備えている。以上の構成により、電子ズーム処理によって画質が好ましくない劣化を起こす恐れがあるときは電子ズーム処理を規制または警告を表示することができる。
【００１１】
【特許文献１】
特開２００１−１９７３４７号公報
【００１２】
【発明が解決しようとする課題】
近年、静止画撮影機能を持ったデジタルビデオカメラの動画撮影モードのように、記録モードによっては撮像素子の画像サイズより小さい画像データに縮小して記録する信号処理装置および画像データ生成装置が登場している。このような信号処理装置および画像データ生成装置においては、光学ズームのみの設定にして撮影した場合でも、記録モードによってはさらに電子的に縮小して記録していることになる。すなわち、この電子的な縮小を考慮した、電子ズームの設定が行われていないという問題がある。別の表現を用いれば、電子ズームオン／オフ設定により、拡大処理による画質劣化を防ぐ撮影モードを設けるという本来の意図につながらないという問題がある。
【００１３】
本発明は上記問題点を鑑みてなされたものであり、電子ズーム処理による画質劣化が少ないズームモードを利用者が選択できる信号処理装置および画像データ生成装置を提供することを目的とする。
【００１４】
【課題を解決するための手段】
この発明は、上述した課題を解決すべくなされたもので、本発明による信号処理装置においては、撮像手段で取得した像の倍率を変化させる信号処理装置であって、像の倍率を増加させる際に撮像された撮像面の走査範囲に対して撮像信号を縮小変更する第１の信号処理を行う第１の信号処理手段と、第１の信号処理と異なる第２の信号処理を行うことによって像の倍率を変化させる第２の信号処理手段と、望遠側または広角側の選択を検知する第１の検知手段と、第１の信号処理による像の倍率拡大の限界を検知する第２の検知手段と、第１のモードと第２のモードとを選択可能な選択手段とを具備し、選択手段により、第１のモードが選択されたときは、第１の検知手段により望遠側が選択され続けたことを検知した場合には第１の信号処理を行うとともに該第１の信号処理による像の倍率拡大が限界に達したことが第２の検知手段により検知された場合に続けて第２の信号処理を行うことにより像の拡大をし、第２のモードが選択されたときは、第１の信号処理による像の倍率拡大の限界に達したことが第２の検知手段により検知された後更に第１の検知手段により望遠側が選択され続けていることを検知しても第２の信号処理を禁止することを特徴とする。
【００１５】
これにより、本発明の信号処理装置においては、第１のモードが選択されたときは、第１の検知手段により望遠側が選択され続けたことを検知した場合には第１の信号処理を行うとともに該第１の信号処理による像の倍率拡大が限界に達したことが第２の検知手段により検知された場合に続けて第２の信号処理を行うことにより像の拡大を行い、第２のモードが選択されたときは、第１の信号処理による像の倍率拡大の限界に達したことが第２の検知手段により検知された後更に第１の検知手段により望遠側が選択され続けていることを検知しても第２の信号処理を禁止するので、利用者はモードを選択することで像のズーム率を調整することができ、電子ズーム処理による画質劣化が少ないズームモードを利用者が選択できる。
【００１６】
また、本発明の画像データ生成装置においては、撮像素子で撮影した撮像データを基に画像データを生成する画像データ生成装置であって、撮像素子の画素数に応じた第１の画像サイズを有する第１の画像形式の画像データを生成し記録する第１の記録モードと、第１の画像サイズより小さい第２の画像サイズを有する第２の画像形式の画像データを生成し記録する第２の記録モードとを制御する記録モード制御手段と、第２の記録モードにおいて、第２の画像形式の画像データを生成する際に電子的な変倍処理を行う電子変倍手段と、電子変倍手段における最大変倍率を設定する最大変倍率設定手段と最大変倍率設定手段により設定された最大変倍率を最大値として変倍率の変化を表示する変倍率変化表示手段を具備し、最大変倍率設定手段は、複数種類の最大変倍率候補から利用者が選択した最大変倍率候補を最大変倍率として設定するとともに、変倍率変化表示手段は、最大変倍率より変倍率の低い最大変倍率候補の値を境界線として表示することを特徴とする画像データ生成装置。
【００１７】
これにより、本発明の画像データ生成装置においては、複数種類の最大変倍率候補から利用者が選択した最大変倍率候補を最大変倍率として設定するとともに、変倍率変化表示手段は、最大変倍率より変倍率の低い最大変倍率候補の値を境界線として表示するので、利用者は所望の像の最大ズーム率を選択することができる。すなわち、電子ズーム処理による画質劣化が少ないズームモードを利用者が選択できる。また、最大変倍率候補の値を境界線として表示することで、電子ズーム処理の状態や影響を利用者は簡便に把握することができ、利用者のズームモードの選択をより適格なものにすることができる。
【００１８】
【発明の実施の形態】
以下、図面を用いて本発明の実施形態について説明する。
まず、本発明の第１の実施形態であるデジタルビデオカメラ（画像記録装置または信号処理装置または画像データ生成装置）の概略構成について説明する。尚、本実施形態におけるデジタルビデオカメラは、静止画および動画の両方を撮影可能である。
図１は、本発明の第１の実施形態におけるデジタルビデオカメラの概略構成を示す図である。図１において、符号１０１は、レンズ光学系であり、入射光を撮像素子１０２上に結像させるための光学レンズ、絞り、焦点制御、各種光学フィルタ及びその駆動機構を含んでいる。また、レンズ光学系１０１は、光学的に画角を変更する光学ズーム可能なレンズ光学系であり、そのための駆動機構も含んでいる。尚、図１のデジタルビデオカメラに示すレンズ光学系１０１の上述した光学機構は一般的なものであり詳細な説明を省略する。
【００１９】
撮像素子１０２は、レンズ光学系１０１によって受光面に結像された光信号を電気信号に変換する素子であり、例えばＣＣＤ（Ｃｈａｒｇｅ  ＣｏｕｐｌｅｄＤｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサなどである。１０３は、Ａ／Ｄ（アナログ／デジタル）回路であり、撮像素子１０２によって電気信号に変換された撮像信号をデジタル撮像データ（以下、撮像データとする）にアナログ／デジタル変換する。この時点での撮像データは撮像素子１０２に固有（画素配列および色フィルタ配列や画素電荷の読み出し方法などで異なる）の出力形式からなるデジタルデータである。
【００２０】
１０４は、カメラ信号処理回路であり、Ａ／Ｄ回路１０３から供給される撮像データを画像データに変換するための各種処理を行う。更に、カメラ信号処理回路１０４は、光学ズームを行うためレンズ光学系１０１の光学ズーム駆動機構を制御する。尚、カメラ信号処理回路１０４が行う処理の詳細は後述する。１０５は、記録信号処理回路であり、カメラ信号処理回路１０４にて変換後の画像データに対して、圧縮符号化や記録フォーマット化、誤り訂正符号化、記録変調符号化などの処理を行い、記録媒体に記録するための記録画像データを出力する。１０６は、記録メディアであり、記録信号処理回路１０５が生成した記録画像データを記録する。尚、記録メディア１０６の具体例としては、フレキシブルディスクや磁気テープなどがある。
【００２１】
１０７は、記録モードスイッチであり、記録モードを設定するために利用者が切り替え可能なスイッチである。本実施形態における記録モードとしては、記録する画像データの種類である静止画データ／動画データの切り替えや、記録画像サイズの変更を行う為のものである。尚、本実施形態における記録モードとは、静止画データ／動画データの切り替えや、記録画像サイズの変更を行うためのモードである。１０８は、記録モード制御回路であり、記録モードスイッチ１０７の設定に従い、撮像素子１０２の駆動回路、カメラ信号処理回路１０４、記録信号処理回路１０５の処理内容を制御する。尚、記録モード制御回路１０８の具体的な処理については後述する。
【００２２】
１０９は、最大倍率設定回路であり、最大倍率選択スイッチ１１１の設定に応じてズーム操作における最大倍率を設定する。尚、最大倍率設定回路１０９における設定の詳細については後述する。１１０は、ズーム倍率表示回路であり、後述するビューファインダ１１４上にズーム倍率に関する情報を表示する。具体的には、図１０に示すように、広角、望遠の両端を示すスケール上に現在のズーム倍率を示すキャラクタを表示（インジケータ表示）する。尚、図１０については、詳細を後述する。１１２は、ズーム操作キーであり、操作者が広角、望遠間のズーム操作を入力するための操作キーである。
【００２３】
１１３は、表示制御回路であり、カメラ信号処理回路１０４の出力する画像データを基に撮影中の映像をビューファインダ１１４に表示させたり、ズーム倍率表示回路１１０ズーム倍率をビューファインダ１１４に表示させたりする。１１４は、ビューファインダであり、表示制御回路１１３の制御により種々の情報を表示する表示回路であり、例えば、液晶表示回路などである。
尚、図１に示すデジタルビデオカメラは、図１に示したもの以外にもシステムコントローラや記録メディアの駆動回路、ユーザインターフェース回路などの一般的なデジタルビデオカメラが備える構成要素を、備えているが本発明の実施形態の説明には不要であるため省略している。
【００２４】
ここで、図１に示したデジタルビデオカメラにおける記録モード制御回路１０８の具体的な処理について説明する。図１に示したデジタルビデオカメラは、上述したように静止画像を撮影する静止画モードと、動画像を撮影する動画モードを有する。また、記録モードスイッチ１０７を操作者が切り替えることで、記録モード制御回路１０８の制御により静止画／動画モードの変更を行うことができる。図８は、図１に示したデジタルビデオカメラにおける静止画／動画モード変更の概要を示す図である。
【００２５】
図８において、８０１は、撮像画像サイズであり、撮像素子１０２が出力する撮像信号をＡ／Ｄ回路１０３でデジタルデータに変換した撮像データの画像サイズを示している。８０２は、静止画像サイズであり、記録モードが静止画モードである場合に、デジタルビデオカメラが、撮像データを基に生成する静止画像データの画像サイズを示している。８０３は、動画像サイズであり、記録モードが動画モードである場合に、デジタルビデオカメラが、撮像データを基に生成する動画像データの画像サイズを示している。尚、画像サイズは画像データが含む画素データの総数で定まる。図８に示すように、静止画像サイズ８０２は、撮像された撮像画像サイズ８０１の画像サイズと同じ画像サイズでカメラ信号処理を行うが、動画像サイズ８０３は、撮像画像サイズ８０１の画像サイズから動画データフォーマットに合わせて縮小した画像サイズでカメラ信号処理を行う。
【００２６】
上述したように、動画モード時に画像サイズの縮小処理が必要となる理由について以下に説明する。例えばデジタルビデオフォーマット（以下、ＤＶフォーマットとする）においては、動画像データの画像サイズが規定されている。そのため、撮像データの画像サイズが大きい場合は、規定された画像サイズまで縮小する必要がある。このため、図１に示したデジタルビデオカメラは、動画モード時にＤＶフォーマットに応じた画像サイズへの縮小を行う。
【００２７】
これに対し、静止画モード時に撮影する静止画像データの画像サイズについては静止画フォーマットにおける規定は特に無く、各デジタルビデオカメラによって決まる最大の画像サイズまで記録することが可能である。また、以上に示すような静止画／動画モードの切り替えに応じた撮像素子１０２の駆動処理として、例えば動画モード時の加算読み出し、静止画モード時の非加算読み出しの切り替えなどがある。更に、静止画／動画モードの切り替えに応じた記録信号処理回路１０５における処理として、静止画／動画モードの設定より定まるＤＶフォマットや静止画フォーマットの各々に対応した圧縮符号化、記録フォーマット化、誤り訂正符号化、変調符号化などの切り替えを行う。
【００２８】
尚、以下の説明では第１の記録モードを静止画モード、第２の記録モードを動画モードとする。また、第１、２の記録モードは、上述した限りではなく、電子的な拡大／縮小処理が異なる２つの記録モードであればよく、例えば、上述した第１の記録モード（静止画モード）に対して、第２の記録モードが静止画像データを電子的に縮小する静止画縮小記録モードであってもかまわない。
【００２９】
次に、図１に示したカメラ信号処理回路１０４の詳細について説明する。
図２は、図１に示したカメラ信号処理回路１０４の詳細を示す図である。図２において、２０１は、撮像データ入力端子であり、Ａ／Ｄ回路１０３の出力端子と接続され、Ａ／Ｄ回路１０３が出力する撮像データが入力される。２０２は、メモリ１であり、撮像データ入力端子２０１に入力された撮像データを保持する記憶回路である。尚、メモリ１・２０２に保持される撮像データは、上述したように撮像素子１０２の構成や駆動方法によって異なる形式の撮像データとなる。具体的な撮像データの形式としては、カラー撮像素子の場合のカラーフィルタ配列より決まるデータ形式などがある。
【００３０】
２０３は、撮像信号処理回路であり、メモリ１・２０２に保持された撮像データから記録のための画像データ形式ないしは次処理のための中間的な画像データ形式に変換する。具体的には、撮像信号処理回路２０３は、本実施形態の撮像素子１０２がカラー撮像素子であるので、撮像データからＲＧＢ形式の画像データやＹ（Ｒ−Ｙ）（Ｂ−Ｙ）形式の画像データへのマトリクス変換処理、カラーフィルタ配列の補間処理、ホワイトバランス処理、γ変換処理などを行う。また、これらの処理は、後述する記録モード入力端子２１０から供給される記録モードデータによって変換パラメータを制御される。
【００３１】
２０４は、変倍処理回路であり、撮像信号処理回路２０３の出力する画像データに対して拡大／縮小処理を行い、変倍後画像データを出力する。具体的には、変倍処理回路２０４は、縮小処理回路２０５、拡大処理回路２０６、変倍処理選択回路２０７を具備する。縮小処理回路２０５は、画像データに対して縮小処理を行い、縮小画像データを出力する。画像データに対する縮小処理が限界に到達したかどうかを検知するとともに、限界に到達したと検知した場合には、拡大処理回路２０６は、画像データに対して拡大処理を行い、拡大画像データを出力する。変倍処理選択回路２０７は、モードに応じて画像データと縮小画像データと拡大画像データの何れかを選択して変倍後画像データを出力する。２０８は、メモリ２であり、変倍処理回路２０４が出力する変倍後画像データを保持する。２０９は、端子であり、メモリ２に保持される変倍後画像データ（第２の画像形式の画像データ）を出力するための端子である。
【００３２】
２１０は、記録モード入力端子（以下、端子２１０とする）であり、図１の記録モード制御回路１０８から記録モードデータが入力される。具体的には、第１の記録モード（静止画記録モード）または第２の記録モード（動画モード）を指定する記録モードデータが入力される。尚、上述した撮像信号処理回路２０３は、端子２１０より入力される記録モードデータに応じた信号処理を行う。具体的には、第１の記録モード（静止画モード）に応じて撮像データより静止画像データを生成する処理や、第２の記録モード（動画モード）に応じて撮像データより縮小した動画像データを生成する処理を行う。また、後述するズーム制御回路２１１および電子変倍制御回路２１２においては、端子２１０より入力される記録モードデータに応じたズーム動作の制御を行う。
【００３３】
２１１は、ズーム制御回路であり、ズーム操作キー入力端子２１３（以下、端子２１３とする）からのズーム操作キー入力データに応じてズーム倍率を決定し、後述する光学ズーム制御回路２１６および電子変倍制御回路２１２を決定したズーム倍率に応じたモードで制御しズーム動作を行う。また、電子変倍制御回路２１２は、ズーム制御回路２１１からの指示に応じて変倍処理回路２０４における変倍処理を制御する。更に、必要に応じて電子変倍制御回路２１２は、メモリ１・２０２からの撮像データの読み出し方法の制御も行う。尚、ズーム制御回路２１１および電子変倍制御回路２１２における処理の詳細については後述する。
【００３４】
２１４は、最大倍率選択入力端子（以下、端子２１４とする）であり、図１の最大倍率設定回路１０９による最大倍率選択値が入力される。端子２１４に入力された最大倍率選択値はその選択値に対応するモードに応じてズーム制御回路２１１で処理される。２１５は、ズーム倍率表示出力端子（以下、端子２１５とする）であり、ズーム倍率表示回路１１０の入力端子に接続され、ズーム倍率表示回路１１０へズーム倍率表示データを出力する。次に、光学ズーム制御回路２１６は、ズーム制御回路２１１からの指示に応じてレンズ光学系１０１を制御することで光学ズームを行う。２１７は、光学ズーム出力端子（以下、端子２１７とする）であり、レンズ光学系１０１に接続され、光学ズーム制御回路２１６が出力する光学ズーム処理を制御するための光学ズームデータを、レンズ光学系１０１へ出力する。
【００３５】
以上に示す構成により、カメラ信号処理回路１０４は、第１の記録モードに応じて撮像データを静止画形式の静止画像データに変換したり、第２の記録モードに応じて撮像データを動画形式の動画像データに変換したり、光学ズームや電子ズームに関する処理を行ったりする。
【００３６】
次に、図２に示した縮小処理回路（第１の信号処理手段としての第１の電子変倍手段）２０５の構成例について説明する。図３は、図２に示した縮小処理回路２０５の概略構成を示す図である。図３において、３０１は、入力端子であり、図２の電子変倍制御回路２１２と接続され、電子変倍制御回路２１２より電子変倍制御データが入力される。３０２は、縮小制御回路であり、入力端子３０１を介して電子変倍制御回路２１２より入力されるモードに応じた電子変倍制御データより変倍率を特定して、後述するＬＰＦ（ローパスフィルタ）係数設定回路３０４を変倍率に応じて制御するとともに、後述するダウンサンプル回路３０６を変倍率に応じて制御する。
【００３７】
３０３は、入力端子であり、図２の撮像信号処理回路２０３と接続され、撮像信号処理回路２０３より画像データが入力される。３０５は、可変空間ＬＰＦ（ローパスフィルタ）であり、入力端子３０３を介して撮像信号処理回路２０３より入力される画像データに対して縮小処理によるエイリアシング（高周波成分の折り返り）防止の為の帯域制限を行う。また、ＬＰＦ係数設定回路３０４は縮小制御回路３０２の制御により縮小率に応じたＬＰＦ係数を可変空間ＬＰＦ３０５に設定する。
【００３８】
ここで、縮小率に応じたＬＰＦ係数の設定方法について一例を説明する。図４は、縮小率に応じた水平方向の可変空間ＬＰＦの設定例を示す図である。一般に縮小後のナイキスト周波数に等価な周波数までの帯域制限によりエイリアシングが防止できるため、縮小率に応じて帯域制限する水平空間周波数を定め、ＬＰＦ特性を設定する。具体的には、図４に示すように、縮小率が大きくなるほど、水平空間周波数の帯域が小さくなるようＬＰＦ特性を設定する。
【００３９】
また、ダウンサンプル回路３０６は、縮小制御回路３０２からの変倍率を基に可変空間ＬＰＦ３０５が帯域制限した画像データに対して縮小処理を行う。３０７は、出力端子であり、ダウンサンプル回路３０６が出力する縮小後の画像データを出力する。この出力端子３０７は、記録信号処理回路１０５の入力側に接続される。尚、縮小処理回路２０５におけるデジタル画像データの縮小方式としては、例えば２次のリサンプルフィルタを用いたＢｉ−Ｃｕｂｉｃ補間による縮小方式など、一般的に利用されている縮小方式を用いて好適である。
【００４０】
次に、図２に示した拡大処理回路（第２の信号処理手段としての第２の電子変倍手段）２０６の構成例について説明する。図５は、図２に示した拡大処理回路２０６の概略構成を示す図である。５０１は、入力端子であり、図２の電子変倍制御回路２１２と接続され、電子変倍制御回路２１２より電子変倍制御データが入力される。５０２は、拡大制御回路であり、入力端子５０１を介して図２の電子変倍制御回路２１２より入力される電子変倍制御データから拡大率を特定し、後述するアップサンプル回路５０４および補正係数設定回路５０５を拡大率に応じて制御する。
【００４１】
５０３は、入力端子であり、図２の撮像信号処理回路２０３と接続され、撮像信号処理回路２０３より画像データが入力される。アップサンプル回路５０４は、拡大制御回路５０２からの拡大率に応じて入力端子５０３から入力される画像データの拡大処理を行う。尚、拡大処理回路２０６におけるデジタル画像データの拡大方式としては、２次のリサンプルフィルタを用いたＢｉ−Ｃｕｂｉｃ補間による拡大方式など、一般的に利用されている拡大方式を用いて好適である。
【００４２】
補正係数設定回路５０５は、拡大制御回路５０２からの拡大率に応じて後述するアパーチャ補正回路５０６で用いる補正係数を設定する。アパーチャ補正回路５０６は、拡大処理にともなう画像の尖鋭度の劣化を補正するアパーチャ補正処理を行う。ここで、アパーチャ補正処理の具体例としては、画像のエッジ成分を分離した信号を輪郭強調信号として、所定のゲインを乗じ、元画像に加算する方式などがある。以上に示すように、拡大制御回路５０２は、アップサンプル回路５０４の制御とともに、補正係数設定回路５０５を変倍率に応じて制御することによりアパーチャ補正回路５０６の特性を制御する。
【００４３】
ここで、アパーチャ補正処理と拡大率の関係について説明する。図６は、アパーチャ補正処理時の輪郭強調信号のゲインを拡大率に比例して増加させる制御例を示す図である。補正係数設定回路５０５は、アパーチャ補正回路５０６に対して、図６に示すように、拡大率に比例して輪郭強調信号のゲインを増大させるよう補正係数を設定する。すなわち、拡大制御回路５０２が、拡大率に比例した補正係数を設定するよう補正係数設定回路５０５を制御する。
【００４４】
次に、図１に示したデジタルビデオカメラにおける第２の記録モード（動画モード）時のズーム動作について説明する。尚、以下の説明において、被写体の撮影範囲（記録メディア１０６に記録される画像データにおける被写体の範囲）を画角とする。
図９は、図１に示したデジタルビデオカメラにおける第２の記録モードにおける像倍率およびズーム動作の概要を示す図である。図９において、９０１は、画角を示す枠であり、光学ズームが望遠端であるときの画角を示す。尚、本実施形態における電子ズーム時に、撮像素子１０２及びメモリ１・２０２はこの枠９０１に応じた画像サイズの撮像データを処理している。即ち、撮像素子１０２における有効画素領域の面（撮像面）における電荷読み出し範囲（走査範囲）が枠９０１に示す範囲である。
【００４５】
９０２は、第２の記録モード時に等倍処理可能な画角を示す枠であり、枠９０１に示す撮像範囲となる撮像データより、第２の記録モード時に切り出す記録画像サイズと等しい部分の画像エリアを示す。９０３は、広角端の画角を示す枠であり、枠９０１よりも広角である光学ズームの広角端の画角を示す枠である。９０４は、電子ズームによる第２の信号処理としての拡大処理における画角を示す枠であり、枠９０１に示す画角の撮像データのうち拡大処理対象となる画像エリアを示す。以上の枠９０１〜９０４に示すように、光学ズーム、電子ズームを通して、広角側になるほど画角が大きく、望遠側になるほど画角が小さくなる。別言すれば、広角側になるほど像が小さく、望遠側になるほど像が大きくなる。
【００４６】
また、９０５は、広角時の記録画像であり、枠９０３に示す画角で記録メディア１０６へ記録する場合の動画像データの画像を示す。９０６は、光学ズーム望遠端時の記録画像であり、枠９０１に示す画角で記録メディア１０６へ記録する場合の動画像データの画像を示す。９０７は、撮像データを等倍で処理時の記録画像であり、枠９０２に示す画角で記録メディア１０６へ記録する場合の動画像データの画像を示す。９０８は、電子ズームによる拡大処理時の記録画像であり、枠９０４に示す画角で記録メディア１０６へ記録する場合の動画像データの画像を示す。また、記録画像９０５〜９０８の大きさは、動画像データの画像サイズを示すものであり、ＤＶフォーマットで定められた画像サイズとなっている。以上の記録画像９０５〜９０８に示すように、画角の変化に応じて変化する処理対象範囲の撮像データを基に、所定のフォーマットに定められる画像サイズの動画像データを生成して記録メディア１０６へ記録する。
【００４７】
また、デジタルビデオカメラにおいて、上述した枠９０３から枠９０１までの画角の変化は、レンズ光学系１０１の制御により実現される。この画角の変化領域は、図９の光学ズーム領域９１０である。また、上述した枠９０１から枠９０２までの画角の変化は、カメラ信号処理回路１０４における電子ズーム処理（縮小処理）によって実現される。この画角の変化領域は、図９の電子ズーム１領域９１１である。また、上述した枠９０２から枠９０４までの画角の変化は、カメラ信号処理回路１０４における電子ズーム処理（第２の信号処理としての拡大処理）によって実現される。この画角の変化領域は、図９の電子ズーム２領域９１２である。
【００４８】
尚、図８にも示したように、本実施形態のデジタルビデオカメラにおいては、第２の記録モードでは撮像データの画像サイズを縮小して動画象データとして記録するため、光学ズーム領域９１０の間であっても電子変倍処理（第１の信号処理としての縮小処理）は行われている。つまり、光学ズーム領域９１０となる光学ズームの望遠端から広角端までは一定の電子変倍（縮小）率のもとでレンズ光学系１０１による光学ズームが行われる。また、記録画像９０７の画像サイズは、枠９０２に示すように撮像データから切り出す画像サイズが等しいので、この場合は切り出しサイズと記録サイズが等しいため電子変倍率＝１（等倍）である。
【００４９】
ここで、変倍処理回路２０７は、電子変倍（縮小）率が限界に到達したと検知する。これは、電子変倍率＝１の場合に電子変倍（縮小）率が限界に到達したと検知する。例えば３２０×２４０画素で画像を生成し記録する場合に、３２０×２４０画素に相当する撮影データを取得する場合である。なお、電子変倍率＝１に近似する所定値に到達した場合に電子変倍（縮小）率が限界に到達したと検知するように構成しても構わない。
【００５０】
また、本実施形態では説明のために電子変倍率＝１については水平垂直とも等倍の例について説明を行うが、この限りではなく、例えば、第２の記録モードがＤＶフォーマットの記録モードであり、サンプリングが正方格子でない動画データの規格であり、撮像素子１０２が正方格子である場合は水平、垂直のうちのどちらかが等倍であり、他方は電子変倍処理により調整する必要がある（＝等倍ではない）。
【００５１】
また、電子ズーム１領域９１１に示すように、光学ズーム望遠端である枠９０１から等倍切り出しに相当する枠９０２までは一定の記録画像サイズとなるよう、電子変倍（縮小）処理に応じて切り出し画像サイズを変化させることにより電子ズーム効果を得ている。また、枠９０２から枠９０４までの画角が変化する場合は、切り出し画像サイズ＜記録画像サイズとなる場合であり、電子変倍率＞１の拡大処理を行う。すなわち等倍切り出しに相当する枠９０２から電子ズームの上限（最大倍率）となる枠９０４までは一定の記録画像サイズに対して、電子変倍（拡大）処理に応じて切り出し画像サイズを変化させることにより電子ズーム効果を得ている。
【００５２】
次に、図２の端子２１４へ入力される、図１の最大倍率設定回路１０９からの最大倍率選択値の処理について説明する。ズーム倍率制御回路２１１は端子２１４に入力された最大倍率選択値に対応したモードで光学ズーム制御回路２１６および電子変倍制御回路２１２の制御方法を変更し、ズーム操作キー入力によるズーム制御範囲を変更する。ここで、最大倍率選択スイッチ１１１の具体例を示し最大倍率選択値の設定例について説明する。図１３は、最大倍率選択スイッチ１１１の具体例を示す図である。図１３に示すように、最大倍率選択スイッチ１１１は、例えば、デジタルビデオカメラのビューファインダ１１４上に表示するＧＵＩ（Ｇｒａｐｈｉｃａｌ  Ｕｓｅｒ  Ｉｎｔｅｒｆａｃｅ）による最大倍率の設定メニューである。これは、上述したＧＵＩを実現するためのプログラムおよびそのプログラムを実行するＣＰＵをデジタルビデオカメラ内に実装することで実現できるものである。
【００５３】
図１３において、１３０１は、設定メニュー項目表示であり、“手ぶれ補正”、“電子ズーム”、“ホワイトバランス”などの設定メニュー項目が表示されている。１３０２は、電子ズーム設定項目であり、電子ズーム機能（ここでは、最大変倍率）に関する設定項目の一覧であり、“オフ”、“×２”、“×８”の３種類がある。尚、電子ズーム設定項目１３０２は、設定メニュー項目表示１３０１の“電子ズーム”を選択することで表示される。図１３においては、矢印１３０３に示すように設定メニュー項目表示１３０１の“電子ズーム”が選択されている。また、図１３においては、矢印１３０４に示すように、電子ズーム設定項目１３０２の第２のモードとしての“×２”が選択されている。
【００５４】
以上により、デジタルビデオカメラの操作者は設定メニュー項目表示１３０１より最大倍率選択項目であるところの“電子ズーム”メニューを矢印１３０３の移動により選択する。
このようにすることによって、モードの設定が行われる。これは図１４、図１５および図１６に示すようなフローにて表される。すなわち、図１４に示すように、まず、上述のような倍率の設定（モードの設定）を行う（ステップＳ１）。これにしたがって、電子ズーム設定項目１３０２が表示される。その後、倍率を広角側にあわせるようカメラ信号処理回路１０４は指示を出す（初期化）（ステップＳ２）。
【００５５】
ここで、電子ズーム設定項目１３０２において、項目「オフ」を選択することは図９の光学ズーム領域９１０のみを使用することに対応する。すなわち、図９の記録画像９０５から記録画像９０６までが撮影可能である。
【００５６】
また、第２のモードとしての項目「×２」を選択すること（ステップＳ３のＮＯおよびステップＳ４）は、図９の光学ズーム領域９１０および電子ズーム１領域（縮小モード領域）９１１を使用することを示しており、記録画像９０５から記録画像９０７まで撮影可能である。これにより、図１５に示すように、ズーム制御回路に従って変倍処理回路２０４は、ズーム操作キー１１２により広角側から望遠側への移動が選択されていることを検知されていると（ステップＳ５）、第１の信号処理として縮小処理を行う（ステップＳ６）。この縮小処理による像の倍率拡大の限界に達したことが検出された場合（ステップＳ７のＹＥＳ）には、更にズーム操作キー１１２により広角側から望遠側への移動が選択されていることを検知し続けても（ステップＳ８のＹＥＳ）前述の拡大処理を禁止する（ステップＳ９）。また、ステップＳ６による縮小処理による像の倍率拡大の限界に達したことが検出されていない場合（ステップＳ７のＮＯ）には、ステップＳ５に戻り、ズーム操作キー１１２の操作（望遠または広角）を検知する。また、ステップＳ７のＹＥＳであって、更にズーム操作キー１１２により広角側から望遠側への移動が選択されていることを検知しない場合（ステップＳ８のＮＯ）にも、ステップＳ５に戻る。
【００５７】
また、第１のモードとしての項目「×８」を選択すること（ステップＳ３のＹＥＳ）は、図９の光学ズーム領域９１０および電子ズーム１領域（第１のモードとしての縮小モード領域）９１１および電子ズーム２領域（第２のモードとしての拡大モード領域）９１２を使用することを示しており、記録画像９０５から記録画像９０８まで撮影可能である。これにより、図１４に示すように、ズーム制御回路に従って変倍処理回路２０４は、ズーム操作キー１１２により広角側から望遠側が選択されていることを検知されていると（ステップＳ１３）、第１の信号処理として縮小処理を行う（ステップＳ１４）。この縮小処理による像の倍率拡大の限界に達したことが検出された時（ステップＳ１５のＹＥＳ）に、更にズーム操作キー１１２により広角側から望遠側が選択されていることを検知した場合（ステップＳ１６のＹＥＳ）には、図１６に示す第２の信号処理として前述の拡大処理を実行する（ステップＳ１７）。また、ステップＳ１４による縮小処理による像の倍率拡大の限界に達したことが検出されていない場合（ステップＳ１５のＮＯ）には、ステップＳ１３に戻り、ズーム操作キー１１２の操作（望遠または広角）を検知する。また、ステップＳ１５のＹＥＳであって、更にズーム操作キー１１２により広角側から望遠側への移動が選択されていることを検知しない場合（ステップＳ１６のＮＯ）にも、ステップＳ１３に戻る。
【００５８】
次に、図１６のステップＳ１７の処理後において、望遠または広角を検知して第２の信号処理を繰り返す（ステップＳ１８、Ｓ１９、ステップＳ２０のＮＯ、ステップＳ２１のＮＯの場合）。また、前述の縮小処理を伴う倍率拡大の限界の値に再び戻った場合（ステップＳ２０のＹＥＳ）、図１４のステップＳ１３に戻り、第１の信号処理のフローに移行する。尚、縮小処理を伴う倍率拡大の限界の値に再び戻るということは、縮小処理よって第１の信号処理側（図９の電子ズーム１領域９１１側）における第２の信号処理の限界に達するということである。
【００５９】
一方、前述の縮小処理を伴う倍率拡大の限界の値に再び戻らず（ステップＳ２０のＮＯ）、ステップＳ１８において広角側から望遠側が選択されていることを検知しつづけ第２の信号処理としての拡大処理の限界に達した場合（ステップＳ２１のＹＥＳ）には、更にズーム操作キー１１２により広角側から望遠側への移動が選択されていることを検知し続けても（ステップＳ２２のＹＥＳ）前述の第２の信号処理としての拡大処理を禁止する（ステップＳ２３）。また、ステップＳ１８において広角側から望遠側が選択されていることを検知しつづけ第２の信号処理としての拡大処理の限界に達していない場合（ステップＳ２１のＮＯ）には、ステップＳ１８に戻り、ズーム操作キー１１２の操作（望遠または広角）を検知する。また、ステップＳ２１のＹＥＳであって、更にズーム操作キー１１２により広角側から望遠側への移動が選択されていることを検知しない場合（ステップＳ２２のＮＯ）にも、ステップＳ１８に戻る。
【００６０】
上述したように最大倍率選択スイッチ１１１の設定により、ズーム制御回路２１１の制御において電子変倍が縮小動作を行う範囲までのズーム倍率「×２」を最大変倍率として第２のモードを選択して設定できる。これにより、電子的な拡大処理による画質劣化を伴わないズームモードを操作者は選択可能であり、かつ光学ズームのみで行う場合より高いズーム倍率となる新たなズームモード設定が可能である。また、電子変倍制御回路２１２は、ズーム制御回路２１１の制御により変倍処理回路２０４およびメモリ１・２０２から撮像データを読み出す際に切り出しエリアサイズを制御することにより、前述のように縮小および拡大の電子ズームの動作を行う。
【００６１】
また、図２の変倍処理選択回路２０７は、電子変倍制御回路２１２の制御により、電子変倍が縮小となる第１の信号処理としての変倍率では縮小処理回路２０５の出力を選択し、電子変倍が拡大となる第２の信号処理としての変倍率では拡大処理回路２０６の出力を選択し、電子変倍が等倍となる変倍率（例えば３２０×２４０画素で画像を生成し記録する場合に、３２０×２４０画素に相当する撮影データを取得する場合）では変倍処理を介さず撮像信号処理回路２０３の出力を選択する。すなわち、光学ズーム領域９１０および電子ズーム１領域９１１の間は縮小処理回路２０５の出力を選択し、等倍切り出しの時は撮像信号処理回路２０３の出力を選択し、電子ズーム２領域９１２の間は拡大処理回路２０６の出力を選択する。
【００６２】
尚、前述のように撮像素子１０２と記録モードでサンプリング格子が異なる場合は、水平、垂直のうちのどちらかが等倍であり、他方は電子変倍率≠１であるが、この場合は等倍処理であっても水平または垂直の電子変倍処理を行う必要があり、その電子変倍率に応じて縮小処理回路２０５ないしは拡大処理回路２０６の出力が選択される。
【００６３】
次に、図２および図３、図５に示した変倍処理回路２０４と異なる構成の変倍処理回路２０４ａの概略構成について説明する。図７は、図２および図３、図５に示した変倍処理回路２０４と異なる構成の変倍処理回路２０４ａの概略構成を示す図である。すなわち、図２において、図７に示す変倍処理回路２０４ａを変倍処理回路２０４と置換えてもよい。図７に示す変倍処理回路２０４ａは、拡大と縮小に同じリサンプルフィルタアルゴリズムを用いることで、変倍係数の制御のみで拡大縮小を切り替え、図２の変倍処理回路２０４に比べ簡略化した回路になっている。
【００６４】
図７において、７０１は、入力端子であり、図２の電子変倍制御回路２１２と接続され、電子変倍制御回路２１２から電子変倍制御データが入力される。７０２は、変倍制御回路であり、入力端子７０１を介して電子変倍制御回路２１２から入力される電子変倍制御データより変倍率を特定し、後述するリサンプルフィルタ７０４を変倍率に応じて制御する。７０３は、入力端子であり、図２の撮像信号処理回路２０３と接続され、撮像信号処理回路２０３から画像データが入力される。リサンプルフィルタ７０４は、入力端子７０３から入力される画像データを、変倍制御回路７０２から入力される変倍率に応じて拡大もしくは縮小する。
【００６５】
次に、図２に示したズーム制御回路２１１がズーム操作キーの入力に応じたズーム倍率表示出力を図１のズーム倍率表示回路１１０供給し、ビューファインダ１１４にズーム倍率の表示を行う動作および表示例について説明する。図１０は、撮影画像を確認するビューファインダ１１４上のズーム倍率表示例を示す図である。図１０において、１００１は、ズーム倍率表示であり、広角端および望遠端を両端とするスケール中にデジタルビデオカメラの撮影中のズーム倍率を表示するインジケータ表示１００２を含む。ここで、図１０の「Ｗ」の文字がある側が広角端、「Ｔ」の文字がある側が望遠端を示す。このインジケータ表示１００２は、ズーム操作キー入力などによりズーム制御回路２１１が制御する光学ズーム倍率および電子ズーム倍率の変化に応じてスケール上を移動する。
【００６６】
次に、ズーム倍率表示１００１上に変倍率の境界線を表示する場合について説明する。図１１は、ズーム倍率表示１００１上に変倍率の境界線を表示する例を示す図である。図１１（ａ）は、図９に示した光学ズーム領域９１０および電子ズーム１領域９１１および電子ズーム２領域９１２までズーム可能な場合のズーム倍率表示１００１の表示例である。この時、最大倍率選択スイッチ１１１における設定は、図１３に示した電子ズーム設定項目１３０２の「×８」に対応する。図１１（ａ）において、１１０１は、インジケータ表示であり、現在のズーム倍率を示す。１１０２は、境界線であり、光学ズームの上限（図９の光学ズーム領域９１０の広角端）を示す。１１０３は、境界線であり、電子ズーム１の上限（図９の電子ズーム１領域９１１と電子ズーム２領域９１２の境界）を示す。ここで「Ｔ」で示される望遠端は、最大倍率「×８」の時であり図９の記録画像９０８に相当する。
【００６７】
次に、図１１（ｂ）は、図９に示した光学ズーム領域９１０および電子ズーム１領域９１１までズーム可能な場合のズーム倍率表示１００１の表示例である。この時、最大倍率選択スイッチ１１１における設定は、図１３に示した電子ズーム設定項目１３０２の「×２」に対応する。ここで「Ｔ」で示される望遠端は、最大倍率「×２」の時であり図９の記録画像９０７に相当する。
【００６８】
図１１（ｃ）は、図９に示した光学ズーム領域９１０の範囲でズーム可能な場合のズーム倍率表示１００１の表示例である。この時、最大倍率選択スイッチ１１１における設定は、図１３に示した電子ズーム設定項目１３０２の「オフ」に対応する。ここで「Ｔ」で示される望遠端は、光学ズーム時の望遠端であり図９の記録画像９０６に相当する。
【００６９】
次に、図１１と異なるズーム倍率表示１００１の例を説明する。図１２は、図１１と異なるズーム倍率表示１００１の例を示す図である。図１１は、ズーム倍率表示１００１の縮尺が可変であったが（＝ズーム倍率表示１００１の長さが一定）、図１２は、ズーム倍率表示１００１の縮尺が固定である（＝ズーム倍率表示１００１の長さが変化する）場合の表示例を示す。
【００７０】
図１２（ａ）は、図９に示した光学ズーム領域９１０および電子ズーム１領域９１１および電子ズーム２領域９１２までズーム可能な場合のズーム倍率表示１００１の表示例である。図１２（ａ）において、１２０１は、インジケータ表示であり、現在のズーム倍率を示す。１２０２は、境界線であり、光学ズームの上限（図９の光学ズーム領域９１０の広角端）を示す。１２０３は、境界線であり、電子ズーム１の上限（図９の電子ズーム１領域９１１と電子ズーム２領域９１２の境界）を示す。以上に示すように、図１２（ａ）は、上述した図１１（ａ）に対応し、表示形態および表示内容は同じである。
【００７１】
図１２（ｂ）は、図９に示した光学ズーム領域９１０および電子ズーム１領域９１１までズーム可能な場合のズーム倍率表示１００１の表示例である。図１２（ｂ）は、図１２（ａ）と比べて（図１１（ｂ）と比べても）図９に示した電子ズーム２領域９１２の分だけ短い。
図１２（ｃ）は、図９に示した光学ズーム領域９１０の範囲でズーム可能な場合のズーム倍率表示１００１の表示例である。図１２（ｃ）は、図１２（ａ）と比べて（図１１（ｃ）と比べても）図９に示した電子ズーム１領域９１１および電子ズーム２領域９１２の分だけ短い。
【００７２】
以上に示したように、ビューファインダ１１４に表示するズーム倍率表示１００１は、任意の形状でよく、合わせて、ズーム倍率を数字などを表示してもよい。また、上述したように境界線を示すことで、利用者に電子ズーム（縮小処理）の開始や、電子ズーム（拡大処理）の開始を知らせることや、最大倍率の設定状態を知らせることができる。
【００７３】
次に、本発明の第２の実施形態として、電子変倍処理を行わず光学ズーム手段のみでズーム動作を行う撮影モードを更に設けたデジタルビデオカメラ（画像記録装置）について説明する。
図１７は、本発明の第２の実施形態におけるデジタルビデオカメラの概略構成を示す図である。尚、図１７に示すデジタルビデオカメラにおいて、図１に示したデジタルビデオカメラの構成要素と同じ符号の構成要素は同じ機能であるので、説明を省略する。また、図１７に示すデジタルビデオカメラは、等倍固定スイッチ１４１３およびカメラ信号処理回路１０４ａの構成要素が、図１のデジタルビデオカメラと異なる部分なので、この異なる部分を中心に説明する。
【００７４】
図１７において、等倍固定スイッチ１４１３は、電子変倍を等倍に固定し光学ズームのみを用いる撮影モード（第２の撮影モード）または、電子変倍を利用する撮影モード（第１の撮影モード）を設定する。すなわち、等倍固定スイッチ１４１３の設定が、第１の撮影モードの場合は、本実施形態のデジタルビデオカメラは、図１に示したデジタルビデオカメラと同様の撮影動作を行う。また、等倍固定スイッチ１４１３の設定が、第２の撮影モードの場合は、本実施形態のデジタルビデオカメラは、本実施形態に特有の撮影動作を行う。尚、本実施形態に特有の撮影動作については後述する。
【００７５】
また、カメラ信号処理回路１０４ａは、等倍固定スイッチ１４１３の設定が第１の撮影モードの場合は、図１に示したカメラ信号処理回路１０４と同様の機能を有し、Ａ／Ｄ回路１０３から供給される撮像データを画像データに変換するための各種処理を行うので、その詳細については説明を省略する。また、カメラ信号処理回路１０４ａは、等倍固定スイッチ１４１３の設定が第２の撮影モードの場合は、本実施形態に特有の光学ズームのみを利用するズーム処理を行う。尚、どちらの撮影モードにおいても、カメラ信号処理回路１０４ａは、光学ズームを行うためレンズ光学系１０１の光学ズーム駆動機構を制御する。また、図１７に示すデジタルビデオカメラは、図１７に示した構成要素以外にもシステムコントローラや記録メディアの駆動回路、ユーザインターフェース回路などの一般的なデジタルビデオカメラが備える構成要素を備えているが、本発明の実施形態の説明には不要であるため省略している。
【００７６】
次に、図１７に示したカメラ信号処理回路１０４ａの詳細について説明する。
図１８は、図１７に示したカメラ信号処理回路１０４ａの詳細を説明する図である。図１８に示すように、カメラ信号処理回路１０４ａは、等倍固定入力端子１５１６（以下、端子１５１６とする）およびズーム制御回路２１１ａ以外の構成は、図２に示したカメラ信号処理回路１０４と同様の構成であるので、同じ符号のものについては説明を省略する。カメラ信号処理回路１０４ａは、端子１５１６から入力される等倍固定スイッチ１４１３の設定に応じて、電子変倍を等倍に固定して光学ズームのみを用いる第２の撮影モードを実現する。
【００７７】
具体的には、第２の撮影モード時に、カメラ信号処理回路１０４ａのズーム制御回路２１１ａは、電子変倍制御回路２１２に対しては等倍の変倍処理を指示し、ズーム操作キーの操作に応じたズーム処理を光学ズーム制御回路２１６へ指示する。これにより、電子変倍を等倍に固定して光学ズームのみを用いる撮影モードを実現することができる。この時、変倍処理選択回路２０７は、メモリ１・２０２から等倍切り出しした撮像データを基に処理した撮像信号処理回路２０３の出力を選択する。尚、前述のように撮像素子１０２と記録画像フォーマットでサンプリング格子が異なる場合は、水平、垂直方向のうちのどちらかが等倍であり、他方は電子変倍を行う。この場合は、等倍処理であっても水平または垂直の電子変倍処理を行う必要があり、その電子変倍率に応じて縮小処理回路２０５ないしは拡大処理回路２０６の出力が選択される。尚、変倍処理選択回路２０７において一度選択された後は、選択した回路および変倍率は固定である。
【００７８】
ここで、第２の撮影モードでのズーム処理について説明する。
図１９は、第２の撮影モードでのズーム処理の概要を示す図である。１６０１は、画角を示す枠であり、光学ズームの倍率に応じて変化する画角を示す。撮像素子１０２及びメモリ１・２０２は、この枠１６０１に応じた画像サイズの撮像データを処理している。また、撮像信号処理回路２０３は、枠１６０３に応じた画像サイズをメモリ１・２０２が保持する画像データより切り出し、信号処理を行う。次に、変倍処理回路２０４は、撮像信号処理回路２０３が出力する画像データに対して電子変倍処理を行わずに出力する。以上により、第２の撮影モードにおいては、デジタルビデオカメラは、ズーム動作を光学ズームのみで行い、広角端では記録画像１６０２となり、望遠端では記録画像１６０６となる画像データを撮影する。尚、記録画像１６０４は、ズーム倍率が途中の画像である。
【００７９】
上述した第２の撮影モードでは、第１の実施形態に示した縮小処理をともなった光学ズームに対して画角が異なるが、縮小による画質変化を受けない画像記録を実現することが可能である。尚、前述のように撮像素子１０２と記録フォーマットでサンプリング格子が異なる場合は、水平、垂直のうちのどちらかが等倍であり、他方は電子変倍処理を行うが、この場合においても等倍となる方向については変倍処理を行わないので、等倍方向での画質劣化を受けない画像記録が可能である。
【００８０】
次に、本発明の第３の実施形態として、光学ズーム手段を備えずにズーム動作を行うデジタルビデオカメラについて説明する。
図２０は、本発明の第３の実施形態におけるデジタルビデオカメラの概略構成を示す図である。尚、図２０に示すデジタルビデオカメラにおいて、図１に示したデジタルビデオカメラの構成要素と同じ符号の構成要素は同じ機能であるので、説明を省略する。また、図２０に示すデジタルビデオカメラは、レンズ光学系１０１ａ、カメラ信号処理回路１０４ｂ、最大倍率設定回路１０９ａ、最大倍率選択スイッチ１１１ａの構成要素が、図１のデジタルビデオカメラと異なる部分なので、この異なる部分を中心に説明する。
【００８１】
レンズ光学系１０１ａは、入射光を撮像素子１０２上に結像させるための光学レンズ、絞り、焦点制御、各種光学フィルタ及びその駆動機構を含んでいる。尚、図２０のデジタルビデオカメラに示すレンズ光学系１０１ａの上述した光学機構は一般的なものであり詳細な説明を省略する。また、レンズ光学系１０１ａは、ズーム機能を備えていない点が、図１に示したレンズ光学系１０１と異なる。
【００８２】
カメラ信号処理回路１０４ｂは、Ａ／Ｄ回路１０３から供給される撮像データを画像データに変換するための各種処理を行う。尚、カメラ信号処理回路１０４ｂが行う処理の詳細は後述する。１０９ａは、最大倍率設定回路であり、最大倍率選択スイッチ１１１ａの設定に応じてズーム操作における最大倍率を設定する。尚、最大倍率設定回路１０９ａにおける設定の詳細については後述する。また、図２０に示すデジタルビデオカメラは、図２０に示した構成要素以外にもシステムコントローラや記録メディアの駆動回路、ユーザインターフェース回路などの一般的なデジタルビデオカメラが備える構成要素を備えているが、本発明の実施形態の説明には不要であるため省略している。
【００８３】
次に、図２０に示したカメラ信号処理回路１０４ｂの詳細について説明する。
図２１は、図２０に示したカメラ信号処理回路１０４ｂの詳細を説明する図である。尚、図２１に示すカメラ信号処理回路１０４ｂにおいて、図２に示したカメラ信号処理回路１０４の構成要素と同じ符号の構成要素は同じ機能であるので、説明を省略する。また、図２１に示すカメラ信号処理回路１０４ｂは、電子ズーム制御回路１８１１を有する構成が、図２のカメラ信号処理回路１０４と異なる部分なので、この異なる部分を中心に説明する。
【００８４】
電子ズーム制御回路１８１１は、端子２１４からのズーム操作キー入力に応じてズーム倍率を決定し、変倍処理回路２０４およびメモリ１・２０２からの画像切り出しエリアサイズを制御する。これにより、変倍処理回路２０４において、電子ズーム制御回路１８１１が決定したズーム倍率に応じた電子ズーム動作を行う。また、端子２１４に入力された最大倍率選択値は電子ズーム制御回路１８１１で処理される。また、電子ズーム制御回路１８１１は、端子２１５を介して図２０のズーム倍率表示回路１１０へズーム倍率表示データを出力する。また、電子ズーム制御回路１８１１には、端子２１０を介して図１の記録モード制御回路１０８から、第１の記録モード（静止画記録モード）または第２の記録モード（動画モード）を指定する記録モードデータが入力される。尚、上述したように、この記録モードデータは、撮像信号処理回路２０３へも入力される。
【００８５】
ここで、第３の実施形態のデジタルビデオカメラにおけるズーム処理の動作について説明する。
図２２は、図２０に示したデジタルビデオカメラにおけるズーム処理動作の概要を示す図である。１９０１は、画角を示す枠であり、電子ズームが広角端であるときの画角を示している。撮像素子１０２及びメモリ１・２０２は、この枠１９０１に応じた画像サイズの撮像データを処理している。本実施形態では第２の記録モードでは、枠１９０１に応じた画像サイズの撮像データは縮小して記録される。１９０２は、縮小後の記録画像であり、枠１９０１に応じた画像サイズの撮像データに対して画角を保ったままＤＶフォーマットに応じた画像サイズまで縮小され記録メディア１０６に記録される画像およびその画像サイズを示す。
【００８６】
１９０３は、等倍切り出しエリアを示す枠であり、枠１９０１の画像サイズの撮像データより、記録画像サイズと等しい部分画像エリアを示す。この枠１９０３で撮像データを切り出して信号処理する場合には、切り出しサイズと記録サイズが等しいため電子変倍率＝１（等倍）である。尚、撮像素子１０２と記録フォーマットのサンプリング格子が異なる場合は水平、垂直のうちのどちらかが等倍であり、他方は電子変倍処理が必要である。１９０４は、記録画像であり、枠１９０３に応じた画像エリアを処理することで得られる。
【００８７】
１９０５は、望遠端の切り出し画像エリアを示す枠であり、枠１９０１の画像サイズの撮像データより、最大変倍率の電子ズーム処理に必要な部分画像エリアを示す。また、１９０６は、記録画像であり、枠１９０５に応じた画像エリアを処理することで得られる。
【００８８】
また、上述した枠１９０１から枠１９０３までの切り出し画像エリアの変化は、カメラ信号処理回路１０４ｂにおける電子ズーム処理（縮小処理）によって実現される。この切り出し画像エリアの変化領域は、図２２に示す電子ズーム１領域１９０７である。また、上述した枠１９０３から枠１９０５までの切り出し画像エリアの変化は、カメラ信号処理回路１０４ｂにおける電子ズーム処理（拡大処理）によって実現される。この切り出し画像エリアの変化領域は、図２２に示す電子ズーム２領域１９０８である。
【００８９】
すなわち、電子ズーム１領域１９０７に示すように、一定の記録画像サイズに対して、電子変倍（縮小）処理に応じて切り出し画像サイズを変化させることにより電子ズーム効果を得ている。また、枠１９０３から枠１９０５までの切り出し画像サイズが変化する場合は、切り出し画像サイズ＜記録画像サイズとなる場合であり、電子変倍率＞１の拡大処理を行う。すなわち等倍切り出しに相当する枠１９０３から電子ズームの上限（最大倍率）となる枠１９０５までは一定の記録画像サイズに対して、電子変倍（拡大）処理に応じて切り出し画像サイズを変化させることにより電子ズーム効果を得ている。
【００９０】
次に、図２１の端子２１４へ入力される、図２０の最大倍率設定回路１０９ａからの最大倍率選択値の処理について説明する。電子ズーム制御回路１８１１は端子２１４に入力された最大倍率選択値に対応して変倍処理回路２０４の制御方法を変更し、ズーム操作キー入力によるズーム制御範囲を変更する。ここで、最大倍率選択スイッチ１１１ａの具体例を示し最大倍率選択値の設定例について説明する。図２５は、最大倍率選択スイッチ１１１ａの具体例を示す図である。図２５に示すように、最大倍率選択スイッチ１１１ａは、例えば、デジタルビデオカメラのビューファインダ１１４上に表示するＧＵＩによる最大倍率の設定メニューである。これは、上述したＧＵＩを実現するためのプログラムおよびそのプログラムを実行するＣＰＵをデジタルビデオカメラ内に実装することで実現できるものである。
【００９１】
図２５において、２２０１は、設定メニュー項目表示であり、“手ぶれ補正”、“電子ズーム”、“ホワイトバランス”などの設定メニュー項目が表示されている。２２０２は、電子ズーム設定項目であり、電子ズーム機能（ここでは、最大変倍率）に関する設定項目の一覧であり、“×２”、“×８”の２種類がある。尚、電子ズーム設定項目２２０２は、設定メニュー項目表示２２０１の“電子ズーム”を選択することで表示される。図２５においては、矢印２２０３に示すように設定メニュー項目表示２２０１の“電子ズーム”が選択されている。また、図２５においては、矢印２２０４に示すように、電子ズーム設定項目２２０２の“×８”が選択されている。
【００９２】
以上により、デジタルビデオカメラの操作者は設定メニュー項目表示２２０１より最大倍率選択項目であるところの“電子ズーム”メニューを矢印２２０３の移動により選択する。これにより、電子ズーム設定項目２２０２が表示される。ここで、電子ズーム設定項目２２０２において、項目「×２」を選択することは、図２２の電子ズーム１領域（縮小モード領域）１９０７を使用することを示しており、記録画像１９０２から記録画像１９０４まで撮影可能である。また、項目「×８」を選択することは、図２２の電子ズーム１領域（縮小モード領域）１９０７および電子ズーム２領域（拡大モード領域）１９０８を使用することを示しており、記録画像１９０２から記録画像１９０６まで撮影可能である。
【００９３】
上述したように最大倍率選択スイッチ１１１ａの設定により、電子ズーム制御回路１８１１の制御において電子変倍が縮小動作を行う範囲までのズーム倍率「×２」を最大変倍率として設定できる。これにより、電子的な拡大処理による画質劣化を伴わないズームモードを操作者は選択可能である。また電子ズーム制御回路１８１１の制御により、メモリ１・２０２に保持する撮像データの切り出し画像サイズを変更し、変倍処理回路２０４で変倍率に応じた縮小および拡大の電子ズームの動作を行うが、メモリ１・２０２からの切り出し制御および変倍処理回路２０４での変倍処理は、第１の実施形態で示したものと同様なので、説明を省略する。
【００９４】
次に、図２１に示した電子ズーム制御回路１８１１がズーム操作キーの入力に応じたズーム倍率表示出力を図２０のズーム倍率表示回路１１０供給し、ビューファインダ１１４にズーム倍率の表示を行う動作および表示例について説明する。図２３は、撮影画像を確認するビューファインダ１１４上のズーム倍率表示例を示す図である。図２３（ａ）は、最大変倍率が電子変倍の最大値であり図２２に示した電子ズーム１領域１９０７および電子ズーム２領域１９０８までズーム可能な場合のズーム倍率表示の表示例である。この時、最大倍率選択スイッチ１１１における設定は、図２５に示した電子ズーム設定項目２２０２の「×８」に対応する。図２３（ａ）において、２０００は、ズーム倍率表示であり、広角端および望遠端を両端とするスケール中にデジタルビデオカメラの撮影中のズーム倍率を表示するインジケータ表示２００１を含む。２００２は、境界線であり、、電子ズーム１の上限（図２２の電子ズーム１領域１９０７と電子ズーム２領域１９０８の境界）を示す。ここで「Ｔ」で示される望遠端は、最大倍率「×８」の時であり図２２の記録画像１９０６に相当する。
【００９５】
次に、図２３（ｂ）は、図２２に示した電子ズーム１領域１９０７の範囲でズーム可能な場合のズーム倍率表示２０００の表示例である。この時、最大倍率選択スイッチ１１１ａにおける設定は、図２５に示した電子ズーム設定項目２２０２の「×２」に対応する。ここで「Ｔ」で示される望遠端は、最大倍率「×２」の時であり図２２の記録画像１９０４に相当する。
【００９６】
次に、図２３と異なるズーム倍率表示２０００の例を説明する。図２４は、図２３と異なるズーム倍率表示２０００の例を示す図である。図２３は、ズーム倍率表示２０００の縮尺が可変であったが（＝ズーム倍率表示２０００の長さが一定）、図２４は、ズーム倍率表示２０００の縮尺が固定である（＝ズーム倍率表示２０００の長さが変化する）場合の表示例を示す。
【００９７】
図２４（ａ）は、図２２に示した電子ズーム１領域１９０７および電子ズーム２領域１９０８の範囲でズーム可能な場合のズーム倍率表示２０００の表示例である。図２４（ａ）において、２１０１は、インジケータ表示であり、現在のズーム倍率を示す。２１０２は、境界線であり、電子ズーム１の上限（図２２の電子ズーム１領域１９０７と電子ズーム２領域１９０８の境界）を示す。以上に示すように、図２４（ａ）は、上述した図２３（ａ）に対応し、表示形態および表示内容は同じである。
【００９８】
図２４（ｂ）は、図２２に示した電子ズーム１領域１９０７の範囲でズーム可能な場合のズーム倍率表示２０００の表示例である。図２４（ｂ）は、図２４（ａ）と比べて（図２３（ｂ）と比べても）図２２に示した電子ズーム２領域１９０８の分だけ短い。ここで「Ｔ」で示される望遠端は、最大倍率「×２」の時であり図２２の記録画像１９０４に相当する。
【００９９】
尚、撮像素子１０２はカラー撮像を行うエリアセンサであり、複数種類の色フィルタを備える画素が二次元配列で配置さている。また、撮像素子１０２は、記録モードなどに応じて変化する複数種類の駆動モードを有する。具体的には、上述したように静止画像データを撮影する場合に、全画素の画素データを読み出す非加算読み出しの駆動モードと、動画像データを撮影する場合に、垂直方向の画素データを混合して読み出す加算読み出しの駆動モードの２種類がある。また、駆動モードの種類は上述した限りではなく、種々の駆動モードを備えていてもよい。
【０１００】
また、図１および図２に示したデジタルビデオカメラの各種制御回路は、専用のハードウェアにより実現されるものであってもよく、また、制御回路の一部または全部は、メモリおよびＣＰＵ（中央演算装置）により構成され、制御部における種々の処理を実現する為のプログラムをメモリに読み込んで実行することによりその処理を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組み合わせによるコンピュータ読み取り、書き込み可能な記録媒体より構成されるものとする。
【０１０１】
また、コンピュータが読み出したプログラムの指示に基づき、コンピュータ上で稼働しているオペレーティングシステム（ＯＳ）などが実際の処理の一部または全部を行い、その処理によって前述した実施形態の各種制御回路の機能が実現される場合も含まれる。
【０１０２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示にもとづき、その機能拡張ボードや機能拡張ユニットに備わるＣＰＵなどが実際の処理の一部または全部を行い、その処理によって前述した実施形態の各種制御回路の機能が実現されてもよい。
【０１０３】
以上、この発明の実施形態について図面を参照して詳述してきたが、具体的な構成はこの実施形態に限られるものではなく、この発明の要旨を逸脱しない範囲の設計等も含まれる。
【０１０４】
また、本発明の実施態様の例を以下に列挙する。
【０１０５】
［実施態様１］  撮像手段で取得した像の倍率を変化させる信号処理装置であって、
像の倍率を増加させる際に撮像された撮像面の走査範囲に対して撮像信号を縮小変更する第１の信号処理を行う第１の信号処理手段と、
前記第１の信号処理と異なる第２の信号処理を行うことによって像の倍率を変化させる第２の信号処理手段と、
望遠側または広角側の選択を検知する第１の検知手段と、
前記第１の信号処理による像の倍率拡大の限界を検知する第２の検知手段と、
第１のモードと第２のモードとを選択可能な選択手段とを具備し、
前記選択手段により、
前記第１のモードが選択されたときは、前記第１の検知手段により望遠側が選択され続けたことを検知した場合には前記第１の信号処理を行うとともに該第１の信号処理による像の倍率拡大が限界に達したことが前記第２の検知手段により検知された場合に続けて前記第２の信号処理を行うことにより像の拡大をし、
前記第２のモードが選択されたときは、前記第１の信号処理による像の倍率拡大の限界に達したことが前記第２の検知手段により検知された後更に前記第１の検知手段により望遠側が選択され続けていることを検知しても前記第２の信号処理を禁止することを特徴とする信号処理装置。
【０１０６】
［実施態様２］  前記第１の信号処理手段は、前記像の空間周波数帯域制限を行う空間ローパスフィルタ手段を更に具備することを特徴とする実施態様１に記載の信号処理装置。
【０１０７】
［実施態様３］  前記空間ローパスフィルタ手段は、前記縮小処理手段の変倍率に応じて前記空間周波数帯域制限の周波数特性を変更することを特徴とする実施態様２に記載の画像記録装置。
【０１０８】
［実施態様４］  前記第２の信号処理手段は、前記像の輪郭を強調するための輪郭強調手段を更に具備することを特徴とする実施態様１に記載の信号処理装置。
【０１０９】
［実施態様５］  前記輪郭強調手段は、前記第２の信号処理手段の変倍率に応じて前記輪郭の強調の度合いを変更することを特徴とする実施態様４に記載の信号処理装置。
【０１１０】
［実施態様６］  前記第１のモード、第２のモードは、撮像手段で取得した像の変倍率が等倍の場合は前記第１の信号処理および前記第２の信号処理を行わないことを特徴とする実施態様５に記載の信号処理装置。
【０１１１】
［実施態様７］  前記第２の信号処理によって、前記像の信号が拡大することを特徴とする実施態様１から実施態様６のいずれかに記載の信号処理装置。
【０１１２】
［実施態様８］  前記像の信号を記憶する信号記憶手段を有し、実施態様１から実施態様７のいずれか１つに記載の信号処理装置により処理された像の信号を前記信号記憶手段に記憶することを特徴とする信号記憶装置。
【０１１３】
［実施態様９］  実施態様１から実施態様７のいずれか１つに記載の信号処理装置と、前記撮像手段の受光面に結像する被写体像の画角を変更する光学変倍手段とを更に具備し、
前記第１の信号処理の際に前記光学変倍手段による変倍を行うことを特徴とする画像記録装置。
【０１１４】
［実施態様１０］  撮像素子で撮影した撮像データを基に画像データを生成する画像データ生成装置であって、
前記撮像素子の画素数に応じた第１の画像サイズを有する第１の画像形式の画像データを生成し記録する第１の記録モードと、前記第１の画像サイズより小さい第２の画像サイズを有する第２の画像形式の画像データを生成し記録する第２の記録モードとを制御する記録モード制御手段と、
前記第２の記録モードにおいて、前記第２の画像形式の画像データを生成する際に電子的な変倍処理を行う電子変倍手段と、
前記電子変倍手段における最大変倍率を設定する最大変倍率設定手段と
前記最大変倍率設定手段により設定された前記最大変倍率を最大値として変倍率の変化を表示する変倍率変化表示手段を具備し、
前記最大変倍率設定手段は、複数種類の最大変倍率候補から利用者が選択した最大変倍率候補を前記最大変倍率として設定するとともに、前記変倍率変化表示手段は、前記最大変倍率より変倍率の低い最大変倍率候補の値を境界線として表示することを特徴とする画像データ生成装置。
【０１１５】
［実施態様１１］  撮像手段で取得した像の倍率を変化させる信号処理方法であって、
像の倍率を増加させる際に撮像された撮像面の走査範囲に対して撮像信号を縮小変更する第１の信号処理を行う第１の信号処理ステップと、
前記第１の信号処理ステップと異なる第２の信号処理を行うことによって像の倍率を変化させる第２の信号処理ステップと、
望遠側または広角側の選択を検知する第１の検知ステップと、
前記第１の信号処理ステップによる像の倍率拡大の限界を検知する第２の検知ステップと、
第１のモードと第２のモードとを選択可能な選択ステップとを有し、
前記選択ステップにおいて、
前記第１のモードが選択されたときは、前記第１の検知ステップにおいて望遠側が選択され続けたことを検知した場合には前記第１の信号処理を行うとともに該第１の信号処理による像の倍率拡大が限界に達したことが前記第２の検知ステップにおいて検知された場合に続けて前記第２の信号処理を行うことにより像の拡大をし、
前記第２のモードが選択されたときは、前記第１の信号処理による像の倍率拡大の限界に達したことが前記第２の検知ステップにより検知された後更に前記第１の検知ステップにおいて広角側から望遠側が選択され続けていることを検知しても前記第２の信号処理を禁止することを特徴とする信号処理方法。
【０１１６】
［実施態様１２］  撮像素子で撮影した撮像データを基に画像データを生成する画像データ生成方法であって、
前記撮像素子の画素数に応じた第１の画像サイズを有する第１の画像形式の画像データを生成し記録する第１の記録モードと、前記第１の画像サイズより小さい第２の画像サイズを有する第２の画像形式の画像データを生成し記録する第２の記録モードとを制御する記録モード制御ステップと、
前記第２の記録モードにおいて、前記第２の画像形式の画像データを生成する際に電子的な変倍処理を行う電子変倍ステップと、
前記電子変倍ステップにおける最大変倍率を設定する最大変倍率設定ステップと
前記最大変倍率設定ステップにおいて設定された前記最大変倍率を最大値として変倍率の変化を表示する変倍率変化表示ステップとを有し、
前記最大変倍率設定ステップでは、複数種類の最大変倍率候補から利用者が選択した最大変倍率候補を前記最大変倍率として設定するとともに、前記変倍率変化表示ステップにおいて、前記最大変倍率より変倍率の低い最大変倍率候補の値を境界線として表示することを特徴とする画像データ生成方法。
【０１１７】
［実施態様１３］  撮像手段で取得した像の倍率を変化させる信号処理装置用のプログラムであって、
像の倍率を増加させる際に撮像された撮像面の走査範囲に対して撮像信号を縮小変更する第１の信号処理を行う第１の信号処理ステップと、
前記第１の信号処理ステップと異なる第２の信号処理を行うことによって像の倍率を変化させる第２の信号処理ステップと、
望遠側または広角側の選択を検知する第１の検知ステップと、
前記第１の信号処理ステップによる像の倍率拡大の限界を検知する第２の検知ステップと、
第１のモードと第２のモードとを選択可能な選択ステップとを有し、
前記選択ステップにおいて、
前記第１のモードが選択されたときは、前記第１の検知ステップにおいて望遠側が選択され続けたことを検知した場合には前記第１の信号処理を行うとともに該第１の信号処理による像の倍率拡大が限界に達したことが前記第２の検知ステップにおいて検知された場合に続けて前記第２の信号処理を行うことにより像の拡大をし、
前記第２のモードが選択されたときは、前記第１の信号処理による像の倍率拡大の限界に達したことが前記第２の検知ステップにより検知された後更に前記第１の検知ステップにおいて広角側から望遠側が選択され続けていることを検知しても前記第２の信号処理を禁止することを前記信号処理装置に実行させることを特徴とするプログラム。
【０１１８】
［実施態様１４］  撮像素子で撮影した撮像データを基に画像データを生成する画像データ生成装置用のプログラムであって、
前記撮像素子の画素数に応じた第１の画像サイズを有する第１の画像形式の画像データを生成し記録する第１の記録モードと、前記第１の画像サイズより小さい第２の画像サイズを有する第２の画像形式の画像データを生成し記録する第２の記録モードとを制御する記録モード制御ステップと、
前記第２の記録モードにおいて、前記第２の画像形式の画像データを生成する際に電子的な変倍処理を行う電子変倍ステップと、
前記電子変倍ステップにおける最大変倍率を設定する最大変倍率設定ステップと
前記最大変倍率設定ステップにおいて設定された前記最大変倍率を最大値として変倍率の変化を表示する変倍率変化表示ステップを有し、
前記最大変倍率設定ステップでは、複数種類の最大変倍率候補から利用者が選択した最大変倍率候補を前記最大変倍率として設定するとともに、前記変倍率変化表示ステップにおいて、前記最大変倍率より変倍率の低い最大変倍率候補の値を境界線として表示することを前記画像データ生成装置に実行させることを特徴とするプログラム。
【０１１９】
【発明の効果】
以上説明したように、本発明の信号処理装置においては、第１のモードが選択されたときは、第１の検知手段により望遠側が選択され続けたことを検知した場合には第１の信号処理を行うとともに該第１の信号処理による像の倍率拡大が限界に達したことが第２の検知手段により検知された場合に続けて第２の信号処理を行うことにより像の拡大を行い、第２のモードが選択されたときは、第１の信号処理による像の倍率拡大の限界に達したことが第２の検知手段により検知された後更に第１の検知手段により望遠側が選択され続けていることを検知しても第２の信号処理を禁止するので、利用者はモードを選択することで像のズーム率を調整することができ、電子ズーム処理による画質劣化が少ないズームモードを利用者が選択できる。
【０１２０】
また、本発明の画像データ生成装置においては、複数種類の最大変倍率候補から利用者が選択した最大変倍率候補を最大変倍率として設定するとともに、変倍率変化表示手段は、最大変倍率より変倍率の低い最大変倍率候補の値を境界線として表示するので、利用者は所望の像の最大ズーム率を選択することができる。すなわち、電子ズーム処理による画質劣化が少ないズームモードを利用者が選択できる。また、最大変倍率候補の値を境界線として表示することで、電子ズーム処理の状態や影響を利用者は簡便に把握することができ、利用者は、電子ズーム処理による画質劣化が少ないズームモードの選択をより適格なものにすることができる。
【図面の簡単な説明】
【図１】本発明の第１の実施形態におけるデジタルビデオカメラの概略構成を示す図である。
【図２】図１に示したカメラ信号処理回路１０４の詳細を示す図である。
【図３】図２に示した縮小処理回路２０５の概略構成を示す図である。
【図４】縮小率に応じた水平方向の可変空間ＬＰＦの設定例を示す図である。
【図５】図２に示した拡大処理回路２０６の概略構成を示す図である。
【図６】アパーチャ補正処理時の輪郭強調信号のゲインを拡大率に比例して増加させる制御例を示す図である。
【図７】図２および図３、図５に示した変倍処理回路２０４と異なる構成の変倍処理回路２０４ａの概略構成を示す図である。
【図８】図１に示したデジタルビデオカメラにおける静止画／動画モード変更の概要を示す図である。
【図９】図１に示したデジタルビデオカメラにおける第２の記録モード時のズーム動作の概要を示す図である。
【図１０】撮影画像を確認するビューファインダ１１４上のズーム倍率表示例を示す図である。
【図１１】ズーム倍率表示１００１上に変倍率の境界線を表示する例を示す図である。
【図１２】図１１と異なるズーム倍率表示１００１の例を示す図である。
【図１３】最大倍率選択スイッチ１１１の具体例を示す図である。
【図１４】本実施形態のデジタルビデオカメラにおけるモードの設定に応じたズーム処理の動作フロー示す図である。
【図１５】本実施形態のデジタルビデオカメラにおけるモードの設定に応じたズーム処理の動作フロー示す図である。
【図１６】本実施形態のデジタルビデオカメラにおけるモードの設定に応じたズーム処理の動作フロー示す図である。
【図１７】本発明の第２の実施形態におけるデジタルビデオカメラの概略構成を示す図である。
【図１８】図１７に示したカメラ信号処理回路１０４ａの詳細を説明する図である。
【図１９】第２の撮影モードでのズーム処理の概要を示す図である。
【図２０】本発明の第３の実施形態におけるデジタルビデオカメラの概略構成を示す図である。
【図２１】図２０に示したカメラ信号処理回路１０４ｂの詳細を説明する図である。
【図２２】図２０に示したデジタルビデオカメラにおけるズーム処理動作の概要を示す図である。
【図２３】撮影画像を確認するビューファインダ１１４上のズーム倍率表示例を示す図である。
【図２４】図２３と異なるズーム倍率表示２０００の例を示す図である。
【図２５】最大倍率選択スイッチ１１１ａの具体例を示す図である。
【図２６】従来の光学ズーム機能および電子ズーム機能を備えた画像記録装置の概略構成を示す図である。
【図２７】図２６に示した画像記録装置の光学ズームと電子ズームの動作を示す図である。
【符号の説明】
１０１、１０１ａ    レンズ光学系
１０２    撮像素子
１０３    Ａ／Ｄ回路
１０４、１０４ａ、１０４ｂ    カメラ信号処理回路
１０５    記録信号処理回路
１０６    記録メディア
１０７    記録モードスイッチ
１０８    記録モード制御回路
１０９、１０９ａ    最大倍率設定回路
１１０    ズーム倍率表示回路
１１１、１１１ａ    最大倍率選択スイッチ
１１２    ズーム操作キー
１１３    表示制御回路
１１４    ビューファインダ
２０２    メモリ１
２０３    撮像信号処理回路
２０４    変倍処理回路
２０５    縮小処理回路
２０６    拡大処理回路
２０７    変倍処理選択回路
２０８    メモリ２
２１１、２１１ａ    ズーム制御回路
２１２    電子変倍制御回路
２１６    光学ズーム制御回路
３０２    縮小制御回路
３０４    ＬＰＦ係数設定回路
３０５    可変空間ＬＰＦ
３０６    ダウンサンプル回路
５０２    拡大制御回路
５０４    アップサンプル回路
５０５    補正係数設定回路
５０６    アパーチャ回路
７０２    変倍制御
７０４    リサンプルフィルタ
１００１、２０００  ズーム倍率表示
１３０１、２２０１  設定メニュー項目表示
１４１３  等倍固定スイッチ
１８１１  電子ズーム制御回路
【図１】
2004266774.tif 000003
【図２】
2004266774.tif 000004
【図３】
2004266774.tif 000005
【図４】
2004266774.tif 000006
【図５】
2004266774.tif 000007
【図６】
2004266774.tif 000008
【図７】
2004266774.tif 000009
【図８】
2004266774.tif 000010
【図９】
2004266774.tif 000011
【図１０】
2004266774.tif 000012
【図１１】
2004266774.tif 000013
【図１２】
2004266774.tif 000014
【図１３】
2004266774.tif 000015
【図１４】
2004266774.tif 000016
【図１５】
2004266774.tif 000017
【図１６】
2004266774.tif 000018
【図１７】
2004266774.tif 000019
【図１８】
2004266774.tif 000020
【図１９】
2004266774.tif 000021
【図２０】
2004266774.tif 000022
【図２１】
2004266774.tif 000023
【図２２】
2004266774.tif 000024
【図２３】
2004266774.tif 000025
【図２４】
2004266774.tif 000026
【図２５】
2004266774.tif 000027
【図２６】
2004266774.tif 000028
【図２７】
2004266774.tif 000029